(57)【要約】【課題】流路の詰まりを防止することができる小便器用排水トラップ及びこの小便器用排水トラップを備えた非水洗式小便器を提供する。【解決手段】小便器用排水トラップ１０は、小便器１の便鉢部２の下端部に配置し、水封部１１を有する流路を内部に形成している。流路を形成する内壁面Ｘに付着及び／又は堆積する尿石等をこの内壁面Ｘから分離し、及び／又は水封部１１内で撹拌することによって、流路の詰まりを防止する詰まり防止機構３０を備えている。【選択図】図２
2012202144.tif 000002
【特許請求の範囲】
【請求項１】
小便器の便鉢部の下端部に配置し、水封部を有する流路を内部に形成した小便器用排水トラップであって、
前記流路を形成する内壁面に付着及び／又は堆積する尿石等をこの内壁面から分離し、及び／又は前記水封部内で撹拌することによって、前記流路の詰まりを防止する詰まり防止機構を備えていることを特徴とする小便器用排水トラップ。
【請求項２】
前記流路は、流入口と、この流入口の下流側に連通する第１下降流路と、この第１下降流路の下流側に連通する上昇流路と、この上昇流路の下流側に連通する第２下降流路と、この第２下降流路の下流側に連通する流出口とを有しており、
前記第１下降流路及び前記上昇流路は前記水封部を形成しており、
前記詰まり防止機構は、前記水封部の底面を形成する前記内壁面、前記第１下降流路の側面を形成する前記内壁面、前記上昇流路の側面を形成する前記内壁面、又は前記第２下降流路の側面を形成する前記内壁面に付着及び／又は堆積する尿石等をこれら内壁面から分離し、及び／又は前記水封部内で撹拌することを特徴とする請求項１記載の小便器用排水トラップ。
【請求項３】
前記第１下降流路、前記上昇流路、及び前記第２下降流路の側面を形成する前記内壁面は、同一の仮想軸を中心として形成された円周面上に形成されており、
前記詰まり防止機構は、
前記仮想軸上に回転軸を配置して回転自在に配置した回転軸部と、
この回転軸部に連結し、端部が前記内壁面に沿って延びたスクレーパー部とを有していることを特徴とする請求項１又は２記載の小便器用排水トラップ。
【請求項４】
前記スクレーパー部は平板形状であり、貫通孔が貫設されていることを特徴とする請求項３記載の小便器用排水トラップ。
【請求項５】
請求項１乃至４のいずれか１項記載の小便器用排水トラップを便鉢部の下端部に配置したことを特徴とする非水洗式小便器。
【発明の詳細な説明】
【技術分野】
【０００１】
本発明は小便器用排水トラップ及び非水洗式小便器に関する。
【背景技術】
【０００２】
特許文献１には従来の小便器用排水トラップが開示されている。この小便器用排水トラップは、非水洗式小便器の便鉢部の下端部に配置されており、水封部を有する流路を内部に形成している。この小便器用排水トラップは上壁部より上方に設けられた保持部材を有している。この保持部材はクエン酸等を含む薬剤を保持している。
【０００３】
この薬剤は溶解することによって小便器用排水トラップの水封部内に流入させることができる。溶解した薬剤が水封部内に流入することによって、水封部内の液性を酸性に維持することができる。このため、水封部内の液性がアルカリ性になることによって尿中に溶解していたカルシウムイオンが難溶性カルシウム化合物（尿石）に変質することを抑制することができる。
【先行技術文献】
【特許文献】
【０００４】
【特許文献１】特表２００７−５１８００５号公報
【発明の概要】
【発明が解決しようとする課題】
【０００５】
しかし、特許文献１の小便器用排水トラップでは、溶解した薬剤を水封部内に流入させることによって水封部内の液性を酸性に維持し、尿石の発生を抑制している。このため、薬剤の補充を頻繁に行わなければならない。また、薬剤の補充を忘れる等、水封部内へ流入する溶解した薬剤の量が減少すると、水封部内の液性を酸性に維持することができなくなり、尿石が発生するおそれがある。また、発生した尿石が小便器用排水トラップ内の流路を形成する内壁面に付着及び／又は堆積し、流路が詰まるおそれがある。
【０００６】
本発明は、上記従来の実情に鑑みてなされたものであって、流路の詰まりを防止することができる小便器用排水トラップ及びこの小便器用排水トラップを備えた非水洗式小便器を提供することを解決すべき課題としている。
【課題を解決するための手段】
【０００７】
本発明の小便器用排水トラップは、小便器の便鉢部の下端部に配置し、水封部を有する流路を内部に形成した小便器用排水トラップであって、
前記流路を形成する内壁面に付着及び／又は堆積する尿石等をこの内壁面から分離し、及び／又は前記水封部内で撹拌することによって、前記流路の詰まりを防止する詰まり防止機構を備えていることを特徴とする。
【０００８】
この小便器用排水トラップでは、詰まり防止機構によって小便器用排水トラップの流路を形成する内壁面に付着及び／又は堆積する尿石等をこの内壁面から分離し、及び／又は水封部内で撹拌することができる。このため、小便器用排水トラップの流路内を流れる尿などによって、内壁面から分離され、及び／又は水封部内で撹拌された尿石等を流路の下流側に容易に流すことができる。よって、小便器用排水トラップの流路を形成する内壁面に尿石等が付着及び／又は堆積することを防止することができる。
【０００９】
したがって、本発明の小便器用排水トラップは流路の詰まりを防止することができる。
【００１０】
前記流路は、流入口と、この流入口の下流側に連通する第１下降流路と、この第１下降流路の下流側に連通する上昇流路と、この上昇流路の下流側に連通する第２下降流路と、この第２下降流路の下流側に連通する流出口とを有しており、
前記第１下降流路及び前記上昇流路は前記水封部を形成しており、
前記詰まり防止機構は、前記水封部の底面を形成する前記内壁面、前記第１下降流路の側面を形成する前記内壁面、前記上昇流路の側面を形成する前記内壁面、又は前記第２下降流路の側面を形成する前記内壁面に付着及び／又は堆積する尿石等をこれら内壁面から分離し、及び／又は前記水封部内で撹拌し得る。
【００１１】
この場合、小便器用排水トラップ内の第１下降流路、上昇流路、第２下降流路、又は水封部を形成する内壁面に付着及び／又は堆積する尿石等を詰まり防止機構でこれら内壁面から分離し、及び／又は水封部内で撹拌することができる。これによって、これら内壁面から分離され、及び／又は水封部内で撹拌された尿石等は、小便器用排水トラップの流路内を流れる尿などによって、流路の下流側に容易に流すことができる。よって、小便器用排水トラップのこれら内壁面に尿石等が付着及び／又は堆積することを防止し、流路の詰まりを防止することができる。
【００１２】
前記第１下降流路、前記上昇流路、及び前記第２下降流路の側面を形成する前記内壁面は、同一の仮想軸を中心として形成された円周面上に形成されており、
前記詰まり防止機構は、
前記仮想軸上に回転軸を配置して回転自在に配置した回転軸部と、
この回転軸部に連結し、端部が前記内壁面に沿って延びたスクレーパー部とを有し得る。
【００１３】
この場合、回転軸を回転すると、スクレーパー部の端部が内壁面に沿って移動する。これによって、小便器用排水トラップの内壁面に付着及び／又は堆積している尿石等をスクレーパー部が内壁面から確実に分離し、及び／又は水封部内で撹拌することができる。このため、小便器用排水トラップの流路内を流れる尿などによって、尿石等を流路の下流側に容易に流すことができる。
【００１４】
前記スクレーパー部は平板形状であり、貫通孔が貫設され得る。この場合、詰まり防止機構を回転させると尿石等が貫通孔を通過する。これによって、尿石等を細かくすることができる。このため、尿石等を水封部内で良好に撹拌することができるため、小便器用排水トラップの流路内を流れる尿などによって、尿石等を流路の下流側に容易に流すことができる。
【００１５】
本発明の非水洗式小便器は、前記小便器用排水トラップを便鉢部の下端部に配置したことを特徴とする。
【００１６】
非水洗式小便器に設けられた小便器用排水トラップは、水封部に尿のみが滞留するため、尿石が小便器用排水トラップの流路を形成する内壁面に付着及び／又は堆積し易い。本発明の非水洗式小便器では、上述したように、小便器用排水トラップの流路を形成する内壁面に尿石等が付着及び／又は堆積することを防止することができるため、小便器用排水トラップは流路の詰まりを防止することができる。
【図面の簡単な説明】
【００１７】
【図１】実施例１の小便器用排水トラップを備えた非水洗式小便器の一部断面図である。
【図２】実施例１の小便器用排水トラップの非水洗式小便器への組み込み状態を示す断面図である。
【図３】図２の矢視Ａ−Ａにおける実施例１の小便器用排水トラップの断面図である。
【図４】図３の矢視Ｂ−Ｂにおける断面図である。
【図５】実施例１の詰まり防止機構の要部を示す斜視図である。
【図６】実施例２の小便器用排水トラップの断面図である。
【発明を実施するための形態】
【００１８】
本発明の小便器用排水トラップを非水洗式小便器に組み込んで具体化した実施例１及び２を図面を参照しつつ説明する。
【００１９】
＜実施例１＞
実施例１の小便器用排水トラップ１０は、図１及び図２に示すように、カートリッジ形態に形成され、非水洗式小便器１の便鉢部２の下端部に着脱自在に組み込まれている。非水洗式小便器１は、壁掛け式であり、トイレ室の壁面Ｗに係止され、固定されている。
【００２０】
非水洗式小便器１は便鉢部２の下端部に垂直方向に貫通した開口部３を有している。また、非水洗式小便器１は開口部３に取り付けられた収納容器４を有している。収納容器４は、底部を有し、上方に向けて開口して略円筒形状に形成されており、小便器用排水トラップ１０を収納することができる。
【００２１】
収納容器４は上端部に係止部材５を連結している。係止部材５は、収納容器４の上端開口から上方に延びた円筒形状の連結部５Ａと、連結部５Ａの上端部から連続して外側に拡がるリング形状の鍔部５Ｂとを有している。収納容器４は、係止部材５の外側面にパッキン６が外嵌され、便鉢部２の下端部に開口した開口部３に上方から挿入されている。係止部材５の鍔部５Ｂが開口部３の周縁部の上面に係止している。
【００２２】
収納容器４は外側面の上部に螺子部が形成されている。この螺子部にナット部材７がねじ込まれている。これにより、係止部材５の鍔部５Ｂと、ナット部材７とにより、便鉢部２の下端部に開口した開口部３の周縁部を挟持し、収納容器４は開口部３に取り付けられている。収納容器４は下端部から後方（図１における左方向）に延びる連結管部４Ａを有している。連結管部４Ａは壁面Ｗに引き出された排水管８に連結されている。
【００２３】
収納容器４は内側面の上下方向の中間部に複数の係止凹部４Ｂを形成している。係止凹部４Ｂは、後述する小便器用排水トラップ１０の側壁部１８に設けられた係止凸部１８Ａを係止することができる。つまり、収納容器４内に挿入した小便器用排水トラップ１０を軸周りに所定の角度だけ回転することにより、係止凸部１８Ａを係止凹部４Ｂに係止することができる。このように、小便器用排水トラップ１０は収納容器４に対して、着脱自在に組み込まれている。このため、小便器用排水トラップ１０は容易に交換することができる。
【００２４】
カートリッジ形態に形成された小便器用排水トラップ１０は、図２〜図４に示すように、水封部１１を有する流路を内部に形成している。流路は、流入口１２、流入口１２の下流側に連通する第１下降流路１３、第１下降流路１３の下流側に連通する上昇流路１４、上昇流路１４の下流側に連通する第２下降流路１５、及び第２下降流路１５の下流側に連通する流出口１６を有している。第１下降流路１３及び上昇流路１４は水封部１１を形成している。また、小便器用排水トラップ１０は詰まり防止機構３０を備えている。
【００２５】
小便器用排水トラップ１０は、円盤状の上壁部１７と、上壁部１７の外周下端部から下方に延びた円筒形状の側壁部１８と、側壁部１８の下端部から内側に延び、中央部に流出口１６を有する底壁部１９とを有している。小便器用排水トラップ１０の上壁部１７は、収納容器４の係止部材５によって形成された開口、すなわち、便鉢部２の下端部に設けられた開口に嵌り込んでいる。小便器用排水トラップ１０は、上壁部１７の外周端面に環状凹部を形成しており、この環状凹部にパッキン１７Ｐが嵌め込まれている。このため、係止部材５によって形成された開口の内側面と、小便器用排水トラップ１０の上壁部１７の外周端面とは水密状態で接合される。よって、非水洗式小便器１の便鉢部２の表面に沿って流下する尿は小便器用排水トラップ１０の上壁部１７の上面に流れ込む。小便器用排水トラップ１０の上壁部１７の上面に流れ込んだ尿は流入口１２から小便器用排水トラップ１０内に流入する。
【００２６】
小便器用排水トラップ１０は、側壁部１８より内側に設けられ、上壁部１７から下方に延びる隔壁部２１を有している。隔壁部２１は側壁部１８と同軸上の円筒形状に形成されている。隔壁部２１より内側である上壁部１７の中央部には垂直方向に貫通した円形状の挿通孔１７Ａが形成されている。挿通孔１７Ａは後述する詰まり防止機構３０の回転軸部３１を気密状態で回転自在に挿通している。隔壁部２１は、下端部が底壁部１９との間に間隔を有して、開口している。流入口１２は、隔壁部２１の外側面に沿って、上壁部１７に貫設されており、複数に分割された円弧形状に形成されている。
【００２７】
また、小便器用排水トラップ１０は、隔壁部２１の下端部から外側に向けて延びたリング形状の中間底部２２と、中間底部２２の外周縁部から上方に延びた円筒形状の折返し部２３とを有している。折返し部２３は隔壁部２１との間に一定の間隔を有している。また、折返し部２３は、隔壁部２１と側壁部１８との間のほぼ中央位置に設けられている。つまり、隔壁部２１、折返し部２３、及び側壁部１８は同軸上に配置されている。また、折返し部２３の上端部は、後述するシール層Ｓの下面よりも下方であり、かつ中間底部２２の外周縁部とシール層Ｓの上面との間の中央高さよりも上方に位置するように形成されている。
【００２８】
小便器用排水トラップ１０は、底壁部１９に形成された流出口１６に沿って垂直方向に立ち上がった流出管部２４を有している。流出管部２４は、円筒形状に形成され、隔壁部２１の下端開口から隔壁部２１内に挿入されている。流出管部２４は、水平断面視において、隔壁部２１の中央に配置されている。つまり、流出管部２４は隔壁部２１と同軸上に配置されている。また、流出管部２４は上端部が折返し部２３の上端部よりも上方に位置している。
【００２９】
小便器用排水トラップ１０は側壁部１８の外側面に複数の係止凸部１８Ａを形成している。上述したように、係止凸部１８Ａが収納容器４の内側面に形成された係止凹部４Ｂに係止することにより、カートリッジ形態の小便器用排水トラップ１０は収納容器４内に着脱自在に組み込まれている。
【００３０】
第１下降流路１３は側壁部１８と折返し部２３との間に形成されている。上昇流路１４は隔壁部２１と流出管部２４との間に形成されている。第２下降流路１５は流出管部２４の内側に形成されている。このように、第１下降流路１３、上昇流路１４、及び第２下降流路１５は、同軸上に配置された側壁部１８、折返し部２３、隔壁部２１、及び流出管部２４によって形成されている。つまり、図３及び図４に示すように、側壁部１８の内周面、折返し部２３の外周面、隔壁部２１の内周面、及び流出管部２４の内外周面は各流路の側面を形成する内壁面Ｘを構成していることになる。これら内壁面Ｘは、同一の仮想軸Ｊを中心として形成された円周面上に形成されている。
【００３１】
小便器用排水トラップ１０は、図２〜図４に示すように、第１下降流路１３及び上昇流路１４によって尿が滞留する水封部１１を形成している。つまり、小便器用排水トラップ１０は流出管部２４より外側の内部に水封部１１を形成している。また、底壁部１９の上面が水封部１１の底面を形成する内壁面Ｘを構成している。
【００３２】
水封部１１は、隔壁部２１によって、隔壁部２１の内側と外側とに区画され、かつ中間底部２２より下方で連通している。小便器用排水トラップ１０は、隔壁部２１より外側の水封部１１内に非水溶性であり、尿よりも比重が軽いシール液を注入される。このため、隔壁部２１より外側の水封部１１内では、貯留した尿よりも上方にシール層Ｓが形成される。シール層Ｓは水封部１１内に滞留した尿から生じる臭気が流入口から便鉢部２内に発散することを防止することができる。
【００３３】
詰まり防止機構３０は、図２〜図５に示すように、回転軸部３１、本体部３２、第１スクレーパー部３３、第２スクレーパー部３４、及び第３スクレーパー部３５を有している。回転軸部３１は、上述したように、小便器用排水トラップ１０の上壁部１７の挿通孔１７Ａに挿通している。回転軸部３１は、円柱形状であり、側面を一周する溝部３１Ａが形成されている。溝部３１にパッキン３１Ｐが嵌め込まれ、このパッキン３１Ｐが上壁部１７の挿通孔１７Ａの内周面に当接している。このため、回転軸部３１は挿通孔１７Ａに気密状態で回転自在に挿通されている。回転軸部３１は上部に形成された角柱形状の摘み部３１Ｂを有している。摘み部３１Ｂは回転軸部３１と同軸に形成されている。回転軸部３１は仮想軸Ｊ上に中心軸を有している。
【００３４】
本体部３２は、回転軸部３１の下方に連結し、側面に開口を有する円筒形状に形成されている。本体部３２は回転軸部３１と同軸に形成されている。本体部３２は、下端開口から流出管部２４を内側に挿入し、かつ隔壁部２１の内側に配置されている。
【００３５】
第１〜第３スクレーパー部３３、３４、３５は本体部３２の側面部の対向する２か所に一組ずつ形成されている。第１スクレーパー部３３は、平板形状に形成され、本体部３２の下端部から外側へ延びている。この第１スクレーパー部３３は中間底部２２より下方に配置されている。第１スクレーパー部３３は下端部が小便器用排水トラップ１０の底壁部１９の上面である内壁面Ｘに沿って延びている。また、第１スクレーパー部３３は、下端部から連続して外側端部を形成しており、この外側端部は小便器用排水トラップ１０の側壁部１８の内壁面Ｘに沿って延びている。つまり、第１スクレーパー部３３の下端部及び外側端部は流路を形成する内壁面Ｘに沿って延びている。第１スクレーパー部３３は複数の円形状の貫通孔３３Ａが貫設されている。
【００３６】
また、第１スクレーパー部３３は外側上端部に第１下降流路１３に嵌り込むように突出した凸部３３Ｂを連続して形成している。この凸部３３Ｂは、外側端部と内側端部が第１下降流路１３の側面を形成する内壁面Ｘに沿って延びている。つまり、この凸部３３Ｂは、外側端部が小便器用排水トラップ１０の側壁部１８の内周面に沿っており、内側端部が折返し部２３の外周面に沿っている。
【００３７】
第２スクレーパー部３４は、本体部３２の側面部に垂直方向に延びて形成されている。この第２スクレーパー部３４は上昇流路１４に嵌り込み、外側端部と内側端部が上昇流路１４の側面を形成する内壁面Ｘに沿って形成されている。つまり、第２スクレーパー部３４は、外側端部が隔壁部２１の内周面に沿っており、内側端部が流出管部２４の外周面に沿っている。
【００３８】
第３スクレーパー部３５は、流出管部２４の上端よりも上方で、本体部３２の内周面から内側に延びた水平部３５Ａと、この水平部３５Ａの先端部から垂直下方に延びた垂下部３５Ｂとを有している。垂下部３５Ｂの外側端部は流出管部２４の内周面に沿っている。つまり、第３スクレーパー部３５の垂下部３５Ｂは、外側端部が第２下降流路１５の側面を形成する内壁面Ｘに沿って延びている。
【００３９】
このような構成を有する非水洗式小便器１は、使用者が使用する際には水封部１１内に尿が滞留し、隔壁部２１より外側の水封部１１内にはシール層Ｓが形成されている（なお、小便器用排水トラップ１０の使用開始時は尿の代わりに水道水を滞留させておく。）。使用者が便鉢部２に向かって小便をすると、尿が便鉢部２の表面に沿って流下し、小便器用排水トラップ１０の上壁部１７の上面に流れ込む。上壁部１７の上面に流れ込んだ尿は流入口１２から小便器用排水トラップ１０内に流入する。すると、尿はシール層Ｓを突き抜けて上方から隔壁部２１と折返し部２３との間に流入する。尿は、隔壁部２１、中間底部２２、及び折返し部２３に囲まれた領域において、下降から上昇に転じる対流を生じつつ、折返し部２３の上端部を乗り越えて折返し部２３より外側に流れる。折返し部２３の上端部を乗り越えた尿は第１下降流路１３を下方に流れる。このように、第１下降流路１３は流入口１１の下流側に連通している。
【００４０】
第１下降流路１３を下方に流れ、底壁部１９と、中間底部２２との間を流れた尿は、上昇流路１４に流入し、上方に流れる。このように、上昇流路１４は第１下降流路１３の下流側に連通している。上昇流路１４を上方に流れた尿は、流出管部２４の上端を乗り越えて、第２下降流路１５内に流入し、下方に流れる。このように、第２下降流路１５は上昇流路１４の下流側に連通している。第２下降流路１５を下方に流れた尿は、流出口１６から収納容器４内に流出する。このように、流出口１６は第２下降流路１５の下流側に連通している。収納容器４内に流出した尿は、収納容器４の連結管部４Ａを介して壁面Ｗに引き出された排水管８に排出される。
【００４１】
また、小便器用排水トラップ１０は、詰まり防止機構３０の回転軸部３１の摘み部３１Ｂを利用して定期的に詰まり防止機構３０を小便器用排水トラップ１０内で回転させる。これによって、第１〜第３スクレーパー部３３、３４、３５が各流路の側面を形成する内壁面Ｘに沿って移動するため、各内壁面Ｘに付着及び／又は堆積する尿石等を各内壁面Ｘから分離し、及び／又は水封部１１内で撹拌することができる。このため、小便器用排水トラップ１０の流路内を流れる尿によって、尿石等を流路の下流側に容易に流すことができる。よって、小便器用排水トラップ１０の流路を形成する内壁面Ｘに尿石等が付着及び／又は堆積することを防止することができる。
【００４２】
したがって、実施例１の小便器用排水トラップ１０を備えた非水洗式小便器１は、小便器用排水トラップ１０内の流路の詰まりを防止することができる。
【００４３】
また、第１スクレーパー部３３に貫通孔３３Ａが貫設されているため、詰まり防止機構３０を回転させると尿石等が貫通孔３３Ａを通過する。これによって、尿石等を細かくすることができる。このため、尿石等を水封部１１内で良好に撹拌することができるため、小便器用排水トラップ１０の流路内を流れる尿などによって、尿石等を流路の下流側に容易に流すことができる。
【００４４】
＜実施例２＞
実施例２の小便器用排水トラップ５０は、図６に示すように、詰まり防止機構６０の回転軸部６１の構成、及び小便器用排水トラップ５０の上壁部５７の形態が実施例１と相違する。他の構成は実施例１と同様であり、同一の構成は同一の符号を付し、詳細な説明を省略する。
【００４５】
詰まり防止機構６０は、本体部６２の上部に連続して、本体部６２の外径と同じ外径を有する円柱状の回転軸部６１を形成している。この回転軸部６１は上端面が小便器用排水トラップ５０の上壁部５７の下面に近接している。回転軸部６１は円盤状の磁石６１Ａを内蔵している。回転軸部６１及び本体部６２は小便器用排水トラップ５０の隔壁部２１内で回転自在に配置されている。
【００４６】
隔壁部２１が垂下している上壁部５７の内側は閉鎖している。このため、隔壁部２１の内側から小便器用排水トラップ５０の外部に臭気が漏れだすことがない。上壁部５７は中央部の上面が円形状に凹んだ凹部５７Ａを有している。この凹部５７Ａは詰まり防止機構６０の摘み部材７０を載置することができる。摘み部材７０は、円盤状の基盤部７０Ａと、基盤部７０Ａの上面から上方に突出して形成された角柱形状の摘み部７０Ｂとを有している。基盤部７０Ａは、その外径を凹部５７Ａの外径よりも僅かに小さく形成しており、凹部５７Ａ内に載置することができる。摘み部材７０は、磁石で形成されており、上壁部５７に形成された凹部５７Ａに載置すると回転軸部６１に内蔵した磁石６１Ａを引き寄せることができる。
【００４７】
このように構成された小便器用排水トラップ５０では、常時は、摘み部材７０を上壁部５７に形成された凹部５７Ａに載置せず、詰まり防止機構６０を小便器用排水トラップ５０内で回転させる際に、摘み部材７０を上壁部５７に形成された凹部５７Ａに載置する。摘み部材７０を上壁部５７に形成された凹部５７Ａに載置すると、摘み部材７０が詰まり防止機構６０の回転軸部６１に内蔵している磁石６１Ａを引き寄せるため、摘み部材７０の摘み部７０Ｂを使用して詰まり防止機構６０を回転させることができる。このようにして、詰まり防止機構６０を小便器用排水トラップ５０内で回転させると、第１〜第３スクレーパー部３３、３４、３５が各流路の側面を形成する内壁面Ｘに沿って移動するため、各内壁面Ｘに付着及び／又は堆積する尿石等を各内壁面から分離し、及び／又は水封部１１内で撹拌することができる。このため、小便器用排水トラップ５０の流路内を流れる尿によって、尿石等を流路の下流側に容易に流すことができる。よって、小便器用排水トラップ５０の流路を形成する内壁面Ｘに尿石等が付着及び／又は堆積することを防止することができる。
【００４８】
したがって、実施例２の小便器用排水トラップ５０を備えた非水洗式小便器１も、小便器用排水トラップ５０内の流路の詰まりを防止することができる。
【００４９】
本発明は上記記述及び図面によって説明した実施例１及び２に限定されるものではなく、例えば次のような実施例も本発明の技術的範囲に含まれる。
（１）実施例１及び２では、非水洗式小便器の便鉢部の下端部に小便器用排水トラップを配置したが、この小便器用排水トラップを水洗式小便器の便鉢部の下端部に配置してもよい。
（２）実施例１及び２では、椀型のトラップ形状であったが、他のトラップ形状であってもよい。
（３）実施例１及び２では、第１スクレーパー部が平板状であり、複数の円形状の貫通孔を貫設していたが、貫通孔は円形状でなくてもよく、網目状であってもよい。
（４）実施例１及び２では、第１スクレーパー部が平板状であり、複数の円形状の貫通孔を貫設していたが、平板状でなく内壁面に沿った端部を有していればよい。また、貫通孔を貫設していなくてもよい。
（５）実施例１及び２では、第１〜第３スクレーパー部を有していたが、少なくとも一つのスクレーパー部を有していればよい。
（６）実施例２では、詰まり防止機構の本体部の上端部に磁石を内蔵し、摘み部材を磁石で形成したが、どちらか一方が磁石であり、他方が磁石に吸着される鉄などの強磁性体であってもよい。
（７）実施例１及び２では、小便器用排水トラップをカートリッジ形態に形成し、非水洗式小便器の便鉢部に下端部に着脱自在に組み込んだが、小便器用排水トラップは水洗式小便器に一体に形成してもよい。
【符号の説明】
【００５０】
１…小便器
２…便鉢部
１０、５０…小便器用排水トラップ
１１…水封部
１２…流入口
１３…第１下降流路
１４…上昇流路
１５…第２下降流路
１６…流出口
３０、６０…詰まり防止機構
３１、６１…回転軸部
３３、３４、３５…スクレーパー部（３３…第１スクレーパー部、３４…第２スクレーパー部、３５…第３スクレーパー部）
３３Ａ…貫通孔
Ｘ…内壁面
【図１】
2012202144.tif 000003
【図２】
2012202144.tif 000004
【図３】
2012202144.tif 000005
【図４】
2012202144.tif 000006
【図５】
2012202144.tif 000007
【図６】
2012202144.tif 000008